【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
プロセッサと、前記プロセッサによって実行可能な命令を記憶するメモリとを備えるコンピューティングシステムであって、
前記命令は、前記コンピューティングシステムを、
ユーザプロファイルにアクセスし、
前記ユーザプロファイルに格納された情報から異なるコンテンツカテゴリのセットを識別し、
異なるコンテンツカテゴリの前記セットを識別し、コンテンツカテゴリ選択ユーザ入力機構を含むユーザインタフェースディスプレイの表現を生成し、
前記コンテンツカテゴリ選択ユーザ入力機構のユーザ作動の指示を受信し、
前記コンテンツカテゴリ選択ユーザ入力機構のユーザ作動の前記指示に基づいて、異なるコンテンツカテゴリの前記セットから複数のコンテンツカテゴリを選択し、
前記複数のコンテンツカテゴリに基づいて複数のブロードキャスト信号を生成し、各ブロードキャスト信号は前記コンテンツカテゴリの特定の１つに対応し、前記特定のコンテンツカテゴリに特有の前記ユーザプロファイルに格納された前記情報のサブセットを含み、
前記ブロードキャスト信号を複数の異なる遠隔配置された信号エンゲージメントコンピューティングシステムに通信するように構成された信号サービスに、前記複数のブロードキャスト信号を通信し、
前記信号サービスから、それぞれが前記信号エンゲージメントコンピューティングシステムの特定の１つに対応し、前記ブロードキャスト信号の特定の１つに関連付けられる、エンゲージメント応答のセットを受信し、前記エンゲージメント応答は、前記エンゲージメント応答に関連付けられた位置を示す位置情報と、前記特定のブロードキャスト信号に対応する前記コンテンツカテゴリに関連する応答情報とを含み、
マップ表現と、各エンゲージメント応答に対する、前記エンゲージメント応答を表し、前記位置情報に基づいて前記マップ表現上に表示されるユーザ作動可能な表示要素とを含むエンゲージメント応答ユーザインタフェース表示の表現を生成し、
前記表示要素のうちの１つのユーザの作動の指示に基づいて、前記表示要素に対応するエンゲージメント情報を表示する
ように構成する、コンピューティングシステム。
【請求項２】
前記命令は、前記コンピューティングシステムを、
有効化ユーザ入力機構を有する有効化ユーザインタフェース表示の表現を生成し、
前記有効化ユーザ入力機構のユーザ作動の指示に応答して、前記ユーザプロファイルにアクセスし、前記信号サービスに通信される前記複数のブロードキャスト信号の生成を制御する信号ブロードキャスト制御コンポーネントを有効化するように構成する、請求項１に記載のコンピューティングシステム。
【請求項３】
各エンゲージメント応答は、関心のあるアイテムを識別し
前記命令は、前記コンピューティングシステムを、
前記関心のあるアイテムの表現およびアクションユーザインタフェース要素を有する前記エンゲージメント応答ユーザインタフェース表示の前記表現を生成し、
前記アクションユーザインタフェース要素のユーザ作動の指示を受信し、
前記アクションユーザインタフェース要素のユーザ作動の前記指示に基づいて、前記関心のあるアイテムに関連するアクションを実行する
ように構成する、請求項１に記載のコンピューティングシステム。
【請求項４】
前記命令は、前記コンピューティングシステムを、
プロファイル認可ユーザ入力機構の表現を生成し、
前記プロファイル認可ユーザ入力機構のユーザ作動の指示を受信し、
前記プロファイル認可ユーザ入力機構のユーザ作動の前記指示に基づいて、自動プロファイル生成器に前記情報にアクセスして前記ユーザプロファイルを生成することを認可し、
検証ユーザ入力機構を有する検証ユーザインタフェース表示の表現を生成し、
前記検証ユーザ入力機構のユーザ作動の指示を受信し、
前記検証ユーザ入力機構のユーザ作動の前記指示に基づいて、前記ユーザプロファイル中の情報を検証する
ように構成する、請求項１に記載のコンピューティングシステム。
【請求項５】
前記命令は、前記コンピューティングシステムを、
補正ユーザ入力機構の表現を生成し、
前記補正ユーザ入力機構のユーザ作動の指示を受信し、
前記補正ユーザ入力機構のユーザ作動の前記指示に基づいて、補正されたプロファイルを得るために前記ユーザプロファイル中の情報を補正し、
補強ユーザ入力機構の表現を生成し、
前記補強ユーザ入力機構のユーザ作動の指示を受信し、
前記補強ユーザ入力機構のユーザ作動の前記指示に基づいて、プライベート情報ソースからの情報で前記ユーザプロファイルを補強する
ように構成する、請求項４に記載のコンピューティングシステム。
【請求項６】
前記ユーザプロファイルは、第１のユーザに対応し、
前記命令は、前記コンピューティングシステムを、
前記信号サービスから、第２のユーザに関連付けられている第２のブロードキャスト信号の指示を受信し、
前記第２のブロードキャスト信号の指示を表示し、応答ユーザ入力機構を含むブロードキャスト信号ユーザインタフェース表示の表現を生成し、
前記応答ユーザ入力機構とのユーザ対話の指示を受信し、
前記応答ユーザ入力機構とのユーザの対話の前記指示に基づいて、前記第２のブロードキャスト信号に対する第２のエンゲージメント応答を生成し、
前記第２のエンゲージメント応答を前記信号サービスに送信する
ように構成する、請求項１に記載のコンピューティングシステム。
【請求項７】
前記複数のブロードキャスト信号は、地理学的位置に基づいて生成される、請求項１に記載のコンピューティングシステム。
【請求項８】
前記地理学的位置は、前記ユーザプロファイルに関連付けられたユーザの現在の位置に基づいており、前記複数の遠隔配置された信号エンゲージメントコンピューティングシステムは、前記地理学的位置に基づいて選択される、請求項７に記載のコンピューティングシステム。
【請求項９】
前記位置情報は、前記特定の信号エンゲージメントコンピューティングシステムに関連付けられた位置を示すものであり、
前記命令は、前記コンピューティングシステムを、
前記ユーザの前記現在の位置と前記特定の信号エンゲージメントコンピューティングシステムとの相対的な近さを表す位置に前記ユーザ作動可能な表示要素を含むように前記マップ表現を生成するように構成する、請求項８に記載のコンピューティングシステム。
【請求項１０】
前記位置は、前記エンゲージメント応答を生成したソースに関連付けられる、請求項１に記載のコンピューティングシステム。
【請求項１１】
各表示要素は、前記表示要素によって表されるエンゲージメント応答が関心の領域とどの程度一致するかを示す、請求項１に記載のコンピューティングシステム。
【請求項１２】
前記エンゲージメント応答ユーザインタフェース表示は、前記複数のコンテンツカテゴリに基づいて、前記エンゲージメント応答のセット内の各エンゲージメント応答を視覚的に区別する、請求項１に記載のコンピューティングシステム。
【請求項１３】
前記命令は、前記コンピューティングシステムを、
前記複数のコンテンツカテゴリに対応するユーザ作動可能表示要素を有する前記エンゲージメント応答ユーザインタフェース表示の前記表現を生成し、各表示要素は、前記コンテンツカテゴリのうちの特定の１つに対応し、エンゲージメント応答の前記セット内の、前記特定のコンテンツカテゴリに関連付けられている任意のエンゲージメント応答を表示するように作動可能である、
ように構成する、請求項１に記載のコンピューティングシステム。
【請求項１４】
各エンゲージメント応答は、前記エンゲージメント応答が前記特定のブロードキャスト信号に応答して、対応する信号エンゲージメントコンピューティングシステムによって生成されたという決定に基づいて、前記特定のブロードキャスト信号に関連付けられる、請求項１に記載のコンピューティングシステム。